(57)【要約】【課題】携帯端末を用いることにより、ユーザーが所望の情報を容易に取得できる電気機器の表示装置、およびこれを用いた電気機器のサービスシステムを提供する【解決手段】本発明は、情報コード１を読み取り可能な読取手段８１を有する携帯端末７に所定の情報を表示させるため、当該情報に対応した前記情報コード１を表示する電気機器２の表示装置５である。情報コード１を表示可能なコード表示部５１１と、複数の情報コード１から任意の情報コード１をユーザーに選択させるコード選択部５２と、前記コード選択部５２により選択された前記情報コード１を前記コード表示部５１１に表示させる制御部６とを備えている。【選択図】図１
2012230447.tif 000002
【特許請求の範囲】
【請求項１】
情報コードを読み取り可能な読取手段を有する携帯端末に所定の情報を表示させるため、当該情報に対応した前記情報コードを表示する電気機器の表示装置であって、
前記情報コードを表示可能なコード表示部と、
複数の情報コードから任意の情報コードをユーザーに選択させるコード選択部と、
前記コード選択部により選択された前記情報コードを前記コード表示部に表示させる制御部と
を備えている
ことを特徴とする電気機器の表示装置。
【請求項２】
前記情報コードが、インターネット上の所定のサイトにアクセスするためのアドレス情報を示すものである
ことを特徴とする請求項１記載の電気機器の表示装置。
【請求項３】
前記制御部は、第１の表示状態から、前記コード選択部により選択された前記情報コードが表示される第２の表示状態へと変化させた後、当該第２の表示状態のまま所定の時間が経過した場合に、前記第１の表示状態に戻らせるようコード表示部を制御する
ことを特徴とする請求項１又は請求項２のいずれかに記載の電気機器の表示装置。
【請求項４】
前記コード表示部に表示された前記情報コードに対応する説明を表示する説明表示部をさらに備えている
ことを特徴とする請求項１乃至請求項３のいずれか一項に記載の電気機器の表示装置。
【請求項５】
前記制御部は、
前記コード表示部に表示させた前記情報コードの表示頻度を計数するカウンタと、
前記コード選択部によりユーザーが情報コードを選択する際に、前記カウンタで計数された表示頻度に基づいて情報コードの順番を変化させるコード順列手段と
を備えている
ことを特徴とする請求項１乃至請求項４のいずれか一項に記載の電気機器の表示装置。
【請求項６】
前記制御部は、少なくとも電気機器のエラーが発生したとき、又はメンテナンスが必要になったとき、又は消耗品の交換が必要になったときに、対応する情報コードをコード表示部に表示させるよう制御する
ことを特徴とする請求項１乃至請求項５のいずれか一項に記載の電気機器の表示装置。
【請求項７】
請求項１乃至請求項６のいずれか一項に記載の電気機器の表示装置を用いたサービスシステムであって、
前記情報コードが、インターネット上の所定のサイトにアクセスするためのアドレス情報を示すものであり、
前記コード表示部に表示された前記情報コードを読み取り可能な読取手段と、
この読取手段により読み取った情報コードに基づいて当該情報コードに対応するインターネット上の所定のサイトのアドレスデータに変換する変換手段と、
この変換手段により生成されたアドレスデータに基づいてインターネットに接続する接続手段と、
この接続手段により接続されたインターネット上の前記サイトを表示するサイト表示部と
を具備する携帯端末を備え、
前記コード選択部によりユーザーが選択した情報コードに対応するインターネット上のサイトを、前記携帯端末の前記サイト表示部に表示させる
ことを特徴とする電気機器のサービスシステム。
【発明の詳細な説明】
【技術分野】
【０００１】
本発明は、電気機器の表示装置、およびこれを用いた電気機器のサービスシステムに関する。
【背景技術】
【０００２】
従来、情報コードを読み取ることができる携帯端末に、所定の情報を表示させるため、その情報に対応したＱＲコード（登録商標）やＵＲＬ等の情報コードを表示する電気機器の表示装置が知られている。ユーザーは、この表示装置により表示された情報コードを、読取手段を有する携帯端末により読み取らせる。これによりこの携帯端末は、情報コードに対応する情報を表示部に表示する（例えば特許文献１参照）。
【０００３】
この特許文献１に記載されたサービスシステムは、情報コードを表示する電気機器としての印刷装置と、情報コードを読み取って当該情報コードに対応する情報を表示部に表示する携帯端末とを備えている。印刷装置は、当該印刷装置のエラーを検出するエラー検出手段と、このエラー検出手段によりエラーの検出がなされた場合にこのエラーに関する情報に対応した情報コードを表示する情報コード表示手段とを有している。
【０００４】
このような構成の印刷装置は、エラーに対応する情報コードを表示させるものであるため、装置にトラブルが発生したときにのみ情報コードを表示させる。したがって特許文献１記載のサービスシステムは、印刷装置におけるトラブルが発生したときに初めて、ユーザーが携帯端末を利用して情報を得ることができるようになっている。
【先行技術文献】
【特許文献】
【０００５】
【特許文献１】特開２００７−１１０５２４号公報
【発明の概要】
【発明が解決しようとする課題】
【０００６】
ところで上記特許文献１記載のサービスシステムは、当該装置にエラーが発生した場合でなければ、印刷装置が情報コードを表示しない。このためこのサービスシステムは、ユーザーが製品に関する固有の情報等（例えば、製品の仕様や製品の使用方法）をエラー発生時以外に知りたい場合であっても、ユーザーに対し情報を提供することができない。
【０００７】
本発明は、上記事情に鑑みてなされたものであり、その目的とするところは、携帯端末を用いることにより、ユーザーが所望の情報を容易に取得できる電気機器の表示装置、およびこれを用いた電気機器のサービスシステムを提供することにある。
【課題を解決するための手段】
【０００８】
本発明の電気機器の表示装置は、情報コードを読み取り可能な読取手段を有する携帯端末に所定の情報を表示させるため、当該情報に対応した前記情報コードを表示する電気機器の表示装置であって、前記情報コードを表示可能なコード表示部と、複数の情報コードから任意の情報コードをユーザーに選択させるコード選択部と、前記コード選択部により選択された前記情報コードを前記コード表示部に表示させる制御部とを備えていることを特徴とする。
【０００９】
またこの電気機器の表示装置において、前記情報コードが、インターネット上の所定のサイトにアクセスするためのアドレス情報を示すものであることが好ましい。
【００１０】
またこの電気機器の表示装置において、前記制御部は、第１の表示状態から、前記コード選択部により選択された前記情報コードが表示される第２の表示状態へと変化させた後、当該第２の表示状態のまま所定の時間が経過した場合に、前記第１の表示状態に戻らせるようコード表示部を制御することが好ましい。
【００１１】
またこの電気機器の表示装置において、前記コード表示部に表示された前記情報コードに対応する説明を表示する説明表示部をさらに備えていることが好ましい。
【００１２】
またこの電気機器の表示装置において、前記制御部は、前記コード表示部に表示させた前記情報コードの表示頻度を計数するカウンタと、前記コード選択部によりユーザーが情報コードを選択する際に、前記カウンタで計数された表示頻度に基づいて情報コードの順番を変化させるコード順列手段とを備えていることが好ましい。
【００１３】
またこの電気機器の表示装置において、前記制御部は、少なくとも電気機器のエラーが発生したとき、又はメンテナンスが必要になったとき、又は消耗品の交換が必要になったときに、対応する情報コードをコード表示部に表示させるよう制御することが好ましい。
【００１４】
本発明の電気機器のサービスシステムは、上記の電気機器の表示装置を用いたサービスシステムであって、前記情報コードが、インターネット上の所定のサイトにアクセスするためのアドレス情報を示すものであり、前記コード表示部に表示された前記情報コードを読み取り可能な読取手段と、この読取手段により読み取った情報コードに基づいて当該情報コードに対応するインターネット上の所定のサイトのアドレスデータに変換する変換手段と、この変換手段により生成されたアドレスデータに基づいてインターネットに接続する接続手段と、この接続手段により接続されたインターネット上の前記サイトを表示するサイト表示部とを具備する携帯端末を備え、前記コード選択部によりユーザーが選択した情報コードに対応するインターネット上のサイトを、前記携帯端末の前記サイト表示部に表示させることを特徴とする。
【発明の効果】
【００１５】
本発明の電気機器の表示装置、およびこれを用いた電気機器のサービスシステムによれば、ユーザーは、携帯端末を用いて所望の情報を容易に取得できることができる。
【図面の簡単な説明】
【００１６】
【図１】本発明の実施形態の表示装置の表示手段を説明するための概略図である。
【図２】上記実施形態の電気機器の概略図である。
【図３】上記実施形態の電気機器と携帯端末を示す斜視図である。
【図４】上記実施形態の電気機器のブロック図である。
【図５】上記実施形態の携帯端末のブロック図である。
【図６】上記実施形態の表示動作のフローチャートである。
【図７】上記実施形態の表示装置の変形例を示す概略図である。
【図８】上記実施形態の表示装置のさらに別の変形例を示す概略図である。
【図９】上記変形例の表示装置とは別の変形例を示す概略図である。
【発明を実施するための形態】
【００１７】
以下、本発明の実施形態について添付図面に基づいて説明する。
【００１８】
実施形態１のサービスシステムは、製品情報等の所定の情報に対応する情報コード１を電気機器２の表示装置５に表示し、ユーザーがこの情報コード１を携帯端末７によって読み取ることで、所望の情報を取得できるようにしたシステムである。このサービスシステムは、図３に示されるように、各種情報に対応した複数の情報コード１のうちユーザーが選択する所定の情報コード１を表示する電気機器２と、この電気機器２に表示される情報コード１を読み取ることができる携帯端末７とを備えている。
【００１９】
電気機器２は、情報コード１を表示するための表示装置５を備えている。本実施形態の電気機器２は、図２，３に示されるように、表示装置５を内蔵するアルカリイオン整水器により構成されている。本実施形態のアルカリイオン整水器は、表示装置５を内蔵する本体部３０と、この本体部３０により生成されたアルカリイオン水を吐出する吐水管３１と、アルカリイオン水生成時に発生する排水を吐出する排水管３２とを備えている。
【００２０】
本体部３０は、図２に示されるように、水道管９に接続された浄水部４０と、この浄水部４０に導入路４６を介して連通接続された電解槽４１とを備えている。また本体部３０は、電解槽４１の上流側に位置し且つ導入路４６の途中に設けられたカルシウム供給部４２と、導入路４６に設けられた流量検知部４３とを備えている。また本体部３０は、表示装置５と、電気機器の電源となる電源部４４とをさらに備えている。本体部３０は、浄水部４０・電解槽４１・カルシウム供給部４２・表示装置５を内部に収容するケーシング４５により外郭が形成されている。
【００２１】
浄水部４０は、その内部が、水源となる水道管９に連通する。浄水部４０は、流入した水を浄化することができる浄化部材４００をその内部に収容する。本実施形態の浄化部材４００は、少なくとも活性炭と中空糸膜とを含むカートリッジにより構成されている。本実施形態の浄水部４０は、水道管９から供給された水道水を活性炭に接触させることで、残留塩素・トリハロメタン・カビ臭等を吸着除去し、さらに中空糸膜に透過させることで細菌や不純物を取り除いて濾過する。浄水部４０は、内部に収容した浄化部材４００を取り替えることができるよう構成されている。
【００２２】
電解槽４１は、浄水部４０により濾過された水を電気分解して、アルカリイオン水及び酸性イオン水を生成する。電解槽４１は、導入路４６にそれぞれ連通する第１の電極室４１０及び第２の電極室４１２を有しており、これら電極室４１０，４１２が隔膜４１４を介して隣接している。この隔膜４１４は、電気分解によって生成されたイオンの流通を許容し且つ水の流通を阻止するよう構成されている。隔膜４１４は、例えば不織布に多孔質フッ素樹脂をコーティングしたもの等により構成される。
【００２３】
電解槽４１は、第１の電極室４１０に第１の電極板４１１を収容し、且つ第２の電極室４１２に第２の電極板４１３を収容する。この電極板４１１，４１３は、電解槽４１内に収容された水を電気分解するために用いられるものであり、例えばチタン等からなる帯状の金属板に白金をコーティングして構成される。電極板４１１，４１３には、後述の制御部６が電気的に接続されており、例えば第１の電極板４１１にマイナスの電圧が印加され、第２の電極板４１３にプラスの電圧が印加される。このとき第１の電極板４１１は陰極電極となって、陰極室（第１の電極室４１０）を形成する。また第２の電極板４１３は陽極電極となって、陽極室（第２の電極室４１２）を形成する。
【００２４】
第１の電極室４１０は、その内部が吐水管３１に連通接続されている。また第２の電極室４１２は、その内部が排水管３２に連通接続されている。
【００２５】
なお、第１の電極板４１１にプラスの電圧を印加し且つ第２の電極にマイナスの電極を印加することもできる。この場合、第１の電極板４１１は陽極電極となって、陽極室（第１の電極室４１０）を形成する。また第２の電極板４１３は陰極電極となって、陰極室（第２の電極室４１２）を形成する。
【００２６】
カルシウム供給部４２は、グリセロリン酸カルシウムや乳酸カルシウム等のカルシウムイオンを、電解槽４１に流入する前の水に付与し、当該水の電気伝導度を上昇させる。これにより、下流側に位置する電解槽４１において、浄水部４０からの水が電気分解されやすい状態となる。
【００２７】
流量検知部４３は、導入路４６の途中に取り付けられ、導入路４６を流通する水量を検知する。流量検知部４３は、後述の表示装置５の制御部６に電気的に接続されており、導入路４６内を流通する水の流量情報を制御部６に出力する。制御部６は、この流量検知部４３が一定の流量以上を検知すると、通水中（使用中）であると判断するよう構成されている。
【００２８】
表示装置５は、情報コード１や現在の吐水の水質情報を表示する表示手段５１と、情報コード１をユーザーに選択させるコード選択部５２と、表示手段５１を制御する制御部６とを備えている。表示装置５は、アルカリイオン水・酸性イオン水・水質・ｐＨ強度等の各種機能の設定をユーザーに行なわせるための機能設定手段５３をさらに備えている。
【００２９】
表示手段５１は、図３に示されるように、ケーシング４５から外部に露出するよう設けられている。表示手段５１は、制御部６に電気的に接続されており、制御部６によりその表示内容が制御される。表示手段５１は、情報コード１を表示するコード表示部５１１と、このコード表示部５１１に表示された情報コード１に対応する説明を表示する説明表示部５１２とを備えている。
【００３０】
コード表示部５１１は、図１に示されるように、電気機器２に関する固有の情報等（例えば、製品の仕様等）に対応する情報コード１を表示する。コード表示部５１１は、情報コード１とこれに対応する表示（本実施形態においてはコードナンバー）が表示される。本実施形態のコード表示部５１１は、液晶ディスプレイにより構成されている。
【００３１】
本実施形態の情報コード１は、二次元バーコードにより構成されており、具体的にはＱＲコード（登録商標）により構成されている。本実施形態の情報コード１は、インターネット上の所定のウェブサイト（機器の情報を掲載した特定のサイト）にアクセスするためのアドレス情報を格納したものである。
【００３２】
説明表示部５１２は、コード表示部５１１に表示された情報コード１に対応する簡易的な説明を表示する。説明表示部５１２は、図１に示されるように、コード表示部５１１に並設されている。説明表示部５１２は、例えば情報コード１がアルカリイオン整水器に関するウェブサイトのアドレス情報を格納するものである場合には、「アルカリイオン整水器に関する情報サイト」等と表示する。また説明表示部５１２は、例えば情報コード１がカートリッジに関するウェブサイトのアドレスを格納するものである場合には、「交換カートリッジに関する情報サイト」等と表示する。また説明表示部５１２は、例えば情報コード１がエラー情報に関するウェブサイトのアドレス情報を格納するものである場合には、「エラー情報に関する情報サイト」等と表示する。さらに説明表示部５１２は、例えば情報コード１が問い合わせに関するウェブサイトのアドレス情報を格納するものである場合には、「問い合わせに関する情報サイト」等と表示する。なお、本実施形態の説明表示部５１２も、コード表示部５１１と同様に、液晶ディスプレイにより構成されている。
【００３３】
コード選択部５２は、複数の情報コード１から任意の情報コード１をユーザーに選択させる機能を有しており、本実施形態では、ケーシング４５外に露出するコード選択ボタン５２０により構成されている。コード選択部５２は、ユーザーにより操作されると、その信号を制御部６に出力する。
【００３４】
制御部６は、コード選択部５２からの信号が入力されると、表示装置５の表示手段５１の表示内容を変化させる。本実施形態の制御部６は、図４に示されるように、複数の情報コード１が格納されたメモリ６１を備えている。メモリ６１は、格納された情報コード１に、コード選択ボタン５２０の押し回数が予め対応付けて登録されている。制御部６は、コード選択部５２が操作されると、その情報をコード選択部５２から取得し、この情報に基づいてメモリ６１に格納された情報コード１を取得し、その後この情報コード１をコード表示部５１１に表示させる。
【００３５】
本実施形態の制御部６は、機能設定手段５３により設定された情報を表示する初期画面の状態から、ユーザーがコード選択ボタン５２０を１回押すと、押し回数１回に対応した第１の情報コード１１（コードＮｏ．１）を表示させる（図１参照）。次いで、第１の情報コード１１が表示された状態から、ユーザーがコード選択ボタン５２０をさらに１回押すと、押し回数２回に対応した第２の情報コード１２（コードＮｏ．２）を表示させる。次いで、第２の情報コード１２が表示された状態から、ユーザーがコード選択ボタン５２０をさらに１回押すと、押し回数３回に対応した第３の情報コード１３（コードＮｏ．３）を表示させる。次いで、第３の情報コード１３が表示された状態から、ユーザーがコード選択ボタン５２０をさらに１回押すと、押し回数４回に対応した第４の情報コード１４（コードＮｏ．４）を表示させる。なお、制御部６は、ユーザーによりコード選択ボタン５２０が所定回数押されると、表示手段５１を再び初期画面に変化させる。
【００３６】
制御部６は、コード選択部５２により選択された情報コード１をコード表示部５１１に表示した経過時間を計測するタイマー６２と、タイマー６２からの信号に基づいてコード表示部５１１を初期画面（第１の表示状態）に変化させる初期画面表示部６３とを備える。タイマー６２は、コード選択ボタン５２０が１回又は複数回押され、コード表示部５１１に所定の情報コード１が表示される（第２の表示状態）と、当該コード表示部５１１に所定の情報コード１が表示されてからの時間を計測し始める。タイマー６２は、経過時間の情報を初期画面表示部６３に出力する。
【００３７】
初期画面表示部６３は、タイマー６２から取得した時間情報が、所定の時間を超えると初期画面に戻すようコード表示部５１１を制御する。つまり初期画面表示部６３は、ユーザーが選択した情報コード１を表示する第２の表示状態のまま、所定の時間が経過したときに、第１の表示状態に表示を戻す。ここでいう所定の時間は、例えば１０〜１２０秒に設定され、好ましくは６０〜９０秒に設定される。なお、本実施形態においては６０秒に設定されている。
【００３８】
なお、本実施形態のタイマー６２は、第１の情報コード１１を一定時間表示させた後、さらに第２の情報コード１２を表示させた場合、第２の情報コード１２が表示されてからの時間を計測し、このとき第１の情報コード１１の経過時間は積算しない。
【００３９】
また制御部６は、コード表示部５１１に表示させた前記情報コード１の表示頻度を計数して保持するカウンタ６４と、このカウンタ６４で計数された表示頻度に基づいて情報コード１を順に並べ替えるコード順列手段６５とを備えている。
【００４０】
本実施形態のカウンタ６４は、タイマー６２に接続されており、情報コード１が表示された経過時間をタイマー６２から取得する。そしてカウンタ６４は、タイマー６２から取得した経過時間情報が所定の値以上となった場合に、カウンタ値を「＋１」する。つまり、本実施形態のカウンタ６４は、コード選択部５２により選択された情報コード１が一定時間以上表示された場合に、そのカウンタ値を「＋１」するよう構成されている。カウンタ６４は、情報コード１ごとに計数することができるようになっている。カウンタ６４は、そのカウンタ値をコード順列手段６５に出力する。
【００４１】
コード順列手段６５は、カウンタ６４から取得したカウンタ値に基づいて、情報コード１を順列させてコード表示部５１１に表示する。本実施形態のコード順列手段６５は、カウンタ値の多い情報コード１ほど優先的に表示させ、カウンタ値が少なくなるほど後に表示する。なお、カウンタ値が同じ値の場合には、コードナンバーが小さい情報コード１を優先して表示する。
【００４２】
また制御部６は、エラー検出手段６６と、このエラー検出手段６６により検出された情報に基づいて、このエラー情報に対応する情報コード１をコード表示部５１１に表示するエラーコード表示手段６７とを備えている。
【００４３】
エラー検出手段６６は、機器のエラーを検出し、そのエラー情報をエラーコード表示手段６７に出力する。本実施形態のエラー検出手段６６は、メンテナンス時期が到来したことを検出するメンテナンス時期検出部６６０と、消耗品の交換時期が到来したことを検出する消耗品交換時期検出部６６１とを備えている。またエラー検出手段６６は、電流値や内部を流通する流量値等が異常値となった場合に機器の異常を検出する異常検知手段６６３をさらに備えている。エラー検出手段６６は、流量検知部４３により一定以上の流量を検知した場合に、その時間を積算する使用期間タイマー６６２を備えている。
【００４４】
メンテナンス時期検出部６６０は、使用期間タイマー６６２から時間情報を取得し、その情報に基づいてメンテナンス時期が到来したか否かを判断する。メンテナンス時期検出部６６０は、使用期間タイマー６６２が所定の積算時間を超えた場合に、メンテナンス時期が到来したと判断して、その情報をエラーコード表示手段６７に出力する。なお、メンテナンス時期検出部６６０は、ユーザーがメンテナンスを行った場合、メンテナンス時の積算時間からの経過時間を算出し、次のメンテナンス時期を検出するようになっている。
【００４５】
消耗品交換時期検出部６６１は、使用期間タイマー６６２から時間情報を取得し、その情報に基づいて消耗品交換時期が到来したか否かを判断する。消耗品交換時期検出部６６１は、使用期間タイマー６６２が所定の積算時間を超えた場合に、消耗品交換時期が到来したと判断して、その情報をエラーコード表示手段６７に出力する。なお、消耗品交換時期検出部６６１は、ユーザーが消耗品を交換した場合、交換時の積算時間からの経過時間を算出し、次の消耗品交換時期を検出するようになっている。
【００４６】
エラーコード表示手段６７は、エラー検出手段６６からの各種信号を取得すると、その信号に対応する情報コード１をコード表示部５１１に表示させる。またエラーコード表示手段６７は、コード表示部５１１に表示した情報コード１に対応する説明を説明表示部５１２に表示させる。
【００４７】
このような構成の表示装置５は、次のように表示を行なう。
【００４８】
通常、表示装置５の表示手段５１は初期画面を表示する。この状態でユーザーがコード選択ボタン５２０を１回押すと、図１に示すように、制御部６は、初期画面から情報コード表示画面に移行させ、第１の情報コード１１（コードＮｏ．１）を表示させる。本実施形態の表示装置５では、制御部６は、アルカリイオン整水器に関するウェブサイトのアドレス情報を格納する情報コード１を表示させる。また制御部６は、第１の情報コード１１を表示するのと同時に、アルカリイオン整水器に関する情報に対応する簡易的な説明を表示させる。
【００４９】
ここで本実施形態の制御部６は、初期画面から情報コード表示画面に表示手段５１を変化させるに当たり、設定状態や電気機器２の正常・異常に関わらず表示手段５１に情報コード１を表示させる。設定状態とは、例えば、アルカリイオン水生成モード、酸性イオン水生成モードまたは浄水モード等の吐水の水質モードや、通水中・止水中などの動作モード等といった機能設定手段５３により設定された機能モードを言う。
【００５０】
この状態からさらに、ユーザーがコード選択ボタン５２０を１回押すと、制御部６は、第１の情報コード１１（コードＮｏ．１）が表示された画面から、第２の情報コード１２（コードＮｏ．２）が表示された画面へと移行させる。本実施形態の表示装置５では、制御部６は、交換カートリッジに関するウェブサイトのアドレス情報を格納する情報コード１を表示させる。また制御部６は、第２の情報コード１２を表示するのと同時に、交換カートリッジに関する情報に対応する簡易的な説明を表示させる。
【００５１】
このように本実施形態の表示装置５は、ユーザーがコード選択ボタン５２０を押すと、順番に情報コード１が変化していくよう構成されている。そして上述のように、制御部６は、ユーザーによりコード選択ボタン５２０が所定回数押されると、表示手段５１を再び初期画面に変化させる。
【００５２】
また、ユーザーがコード選択ボタン５２０を単数又は複数回押すことで、情報コード１が選択されると、制御部６のタイマー６２は時間をカウントし始める。情報コード１が表示された時間が所定の時間を経過すると、制御部６は、表示手段５１を初期画面に変化させる。
【００５３】
このとき本実施形態の表示装置５は、カウンタ６４が、所定の時間表示された情報コード１に対応するカウンタ値を「＋１」して計数する。すると、カウンタ値を取得したコード順列手段６５が、複数の情報コード１をカウンタ値に基づいて並び換え、コード選択ボタン５２０を押すごとに切り替わる情報コード１の順序を入れ替える。
【００５４】
ここでカウンタ値に基づいて情報コード１の順番を入れ替えるフローについて、以下、図６に示すフローチャートに基づいて説明する。
【００５５】
初期画面モードから、ユーザーが情報コードを短く押すと（Ｓ１００）、情報コード表示モードに移行し、コード表示部５１１に第１の情報コード１１が表示される（Ｓ１０１）。この状態で、第１の情報コード１１の表示が一定時間（例えば、６０秒）以上経過すると、第１の情報コード１１に対応するカウンタ値（図中「コード１使用カウンタ」と示す）を「＋１」する（Ｓ１０２）。第１の情報コード１１の表示が一定時間経過する前に、ユーザーがコード選択ボタン５２０を短く押すと（Ｓ１０３）、コード表示部５１１に第２の情報コード１２が表示される（Ｓ１０４）。
【００５６】
ここで、第１の情報コードの表示が一定時間経過する前に、ユーザーがコード選択ボタン５２０以外のボタンを短く押すと（Ｓ１０５）、初期画面に移行する（Ｓ１０６）。
【００５７】
第２の情報コード１２が表示されたまま一定時間（例えば、６０秒）以上経過すると、第２の情報コード１２に対応するカウンタ値（図中「コード２使用カウンタ」と示す）を「＋１」する（Ｓ１０７）。第２の情報コード１２の表示が一定時間経過する前に、ユーザーがコード選択ボタン５２０を短く押すと（Ｓ１０８）、コード表示部５１１に第３の情報コード１３が表示される（Ｓ１０９）。
【００５８】
第２の情報コード１２の表示が一定時間経過する前に、ユーザーがコード選択ボタン以外のボタンを短く押すと（Ｓ１１０）、初期画面に移行する（Ｓ１０６）。
【００５９】
第３の情報コード１３が表示されたまま一定時間（例えば、６０秒）以上経過すると、第３の情報コード１３に対応するカウンタ値（図中「コード３使用カウンタ」と示す）を「＋１」する（Ｓ１１１）。第３の情報コード１３の表示が一定時間経過する前に、ユーザーがコード選択ボタン５２０を短く押すと（Ｓ１１２）、コード表示部５１１に第４の情報コード１４が表示される（Ｓ１１３）。
【００６０】
第３の情報コード１３の表示が一定時間経過する前に、ユーザーがコード選択ボタン５２０以外のボタンを短く押すと（Ｓ１１４）、初期画面に移行する（Ｓ１０６）。
【００６１】
第４の情報コード１４が表示されたまま一定時間（例えば、６０秒）以上経過すると、第４の情報コードに対応するカウンタ値（図中「コード４使用カウンタ」と示す）を「＋１」する（Ｓ１１５）。第４の情報コード１４の表示が一定時間経過する前に、ユーザーがコード選択ボタン５２０を短く押すと（Ｓ１１６）、初期画面に移行する（Ｓ１０６）。
【００６２】
各コード使用カウンタのカウンタ値が計数されると（Ｓ１０２，Ｓ１０７，Ｓ１１１，Ｓ１１５）、コード順列手段６５が各カウンタ値を比較する（Ｓ１１７）。そしてコード順列手段６５は、カウンタ値が大きいものほど情報コード１の使用頻度が高いと判断し、カウンタ値が多い順に情報コード１が表示されるよう順番を入れ替える（Ｓ１１８）。
【００６３】
このように本実施形態の表示装置５は、コード表示部５１１と、任意の情報コード１をユーザーに選択させるコード選択部５２と、コード選択部５２により選択された情報コード１をコード表示部５１１に表示させる制御部６とを備えている。これによりユーザーは、電気機器２にエラーが発生した場合に限らず、いつでも、所望の情報コード１をコード表示部５１１に表示させることができる。
【００６４】
また本実施形態の表示装置５は、表示される情報コード１が、インターネット上の所定のサイトにアクセスするためのアドレス情報を示すものである。このため、更新されて新たな情報が掲載されたウェブサイトを携帯端末７に表示させることができる。しかも、ユーザーは、携帯端末７を用いて電気機器２固有のサイトが簡単に閲覧できるため、現在必要な情報を早急に確認できる。
【００６５】
また本実施形態の表示装置５は、制御部６が、第２の表示状態に変化してから所定の時間が経過した場合に、第１の表示状態に戻らせるようコード表示部５１１を制御する初期画面表示部６３を備えている。このように、所定時間が経過すれば第１の表示状態に変化させるため、ユーザーは、使用する度に第１の表示状態から開始することができ、所望の情報コード１を表示させるに当たり、いつも同じ操作を行なうだけでよい。
【００６６】
また本実施形態の表示装置５は、コード表示部５１１に表示された情報コード１に対応する説明を表示する説明表示部５１２を備えているため、ユーザーに対し、表示されている情報コード１の内容を示すことができる。これによりユーザーは、使い勝手がよいものとなる。
【００６７】
また本実施形態の表示装置５は、表示頻度に基づいて情報コード１の順番を変化させるコード順列手段６５を備えているため、使用頻度の高い情報コード１を優先的に表示することができる。これによりユーザーは必要な情報を素早く確認できるようになる。
【００６８】
また本実施形態の表示装置５は、少なくとも電気機器２のエラーが発生したとき、又はメンテナンスが必要になったとき、又は消耗品の交換が必要になったときに、対応する情報コード１をコード表示部５１１に表示させるものである。このため、ユーザーはエラーに対応する情報や、メンテナンスに関する情報や、消耗品の交換に関する情報を素早く取得することができる。
【００６９】
このように表示装置５に表示された情報コード１は、ユーザーが所有する携帯端末７によって読み込まれる。
【００７０】
携帯端末７は、情報コード１を読み取ることで、インターネット上のサイトにアクセスして、そのサイト情報をサイト表示部７２に表示させる。本実施形態の携帯端末７は、携帯電話により構成されている。携帯端末７は、図５に示されるように、情報コード１を読み取り可能な読取手段７１と、読取手段７１により読み取られた画像データを処理する携帯制御部８と、この携帯制御部８に制御されるサイト表示部７２とを備えている。
【００７１】
読取手段７１は、情報コード１を画像データとして読み込む撮像部により構成されており、具体的には携帯電話に搭載されたカメラにより構成される。読取手段７１は、取得した画像データを携帯制御部８に出力する。
【００７２】
携帯制御部８は、図５に示されるように、読取手段７１により読み取られた画像データを変換する変換手段８２と、この変換手段８２により生成された情報に基づいてインターネットに接続する接続手段８３とを備えている。変換手段８２は、読取手段７１により入力された画像データを、この画像データに対応するインターネット上の所定のサイトのアドレスデータに変換する。なお、接続手段８３は、変換手段８２からアドレス情報を取得した後、自動でインターネットに接続してもよいし、ユーザーが手動で接続するようにしてもよい。
【００７３】
携帯制御部８は、接続手段８３によりインターネットに接続することで、インターネット上の所定のウェブサイトをサイト表示部７２に表示させる。本実施形態のサイト表示部７２は、携帯電話に搭載されたモニターにより構成されている。
【００７４】
このような構成の携帯端末７は、電気機器２の表示装置５に表示された情報コード１を読み取ることで、電気機器２固有のインターネット上のサイトを、素早く表示することができる。このようにユーザーは、この携帯端末７を用いて電気機器２の情報コード１を読み取ることで、所望の情報を直ぐに取得することができる。
【００７５】
次に、本実施形態のアルカリイオン整水器の動作を図２に基づいて説明する。
【００７６】
ユーザーは、機能設定手段５３を操作して、アルカリイオン水生成モード、酸性イオン水生成モードまたは浄水モード等の水質モード、並びにｐＨ強度を選択する。この後、ユーザーは、水栓９１を開放させて通水を行なう。
【００７７】
水道管９から導入された原水は、浄水部４０内に入って浄水された後、導入路４６を流通して電解槽４１へ流入する。このとき、浄水部４０によって原水中の残留塩素やトリハロメタン、カビ臭、一般細菌等の不純物が取り除かれ、カルシウム供給部４２によってグリセロリン酸カルシウムや乳酸カルシウム等が供給される。
【００７８】
電源プラグ４４１から電源部４４に電圧（ＡＣ１００Ｖ）が供給される。電源部４４は、電源プラグ４４１から供給された交流電源を制御用直流電源に変換し、電気分解に必要なエネルギーを生成する。電源部４４により生成されたエネルギーは、制御部６を介して電解槽４１の第１の電極板４１１および第２の電極板４１３に供給される。この時、相対的にプラス電圧を印加する電極を陽極、マイナス電圧を印加する電極を陰極とすると、電解槽４１内に隔膜４１４で仕切られた陽極室と陰極室とが形成される。
【００７９】
アルカリイオン水生成モード時においては第１の電極板４１１が陰極となり、第２の電極板４１３が陽極となる。導入路４６から電解槽４１内に流入した水は、第１の電極板４１１と第２の電極板４１３により、電気分解され、第１の電極室４１０にアルカリイオン水が生成されると共に第２の電極室４１２に酸性イオン水が生成される。この後、電極室４１０，４１２で生成されたイオン水は、吐水管３１よりアルカリイオン水が吐出されると共に排水管３２より酸性イオン水が排出される。
【００８０】
単位時間当たりに流れる流量レベルが一定量を下回ると、制御部６は、この状態を止水と判断し、電解槽４１へのエネルギーの供給を停止する。この時制御部６は、止水後一定時間、第１の電極板４１１に相対的にプラス電圧を印加し、第２の電極板４１３にマイナス電圧を印加する。これにより、第１の電極板４１１に付着したカルシウム等のスケールを洗浄除去するようになっている。
【００８１】
なお、本実施形態の表示装置５は、情報コード１の表示頻度を計数するカウンタ６４と、このカウンタ６４で計数された表示頻度に基づいて情報コード１の順番を変化させるコード順列手段６５とを備えていたが、本発明において、これらは必ずしも必要な構成ではない。例えば、本発明の表示装置は、図７に示すように、カウンタ６４が設けられていない構成とすることも可能である。
【００８２】
また本実施形態の表示装置５は、説明表示部５１２を備えていたが、本発明において説明表示部５１２は必ずしも必要な構成ではない。例えば図８に示すように、本発明の表示装置は、説明表示部５１２が設けられていない構成とすることも可能である。
【００８３】
また本発明の表示装置５は、第２の表示状態のまま所定の時間が経過した場合に、第１の表示状態に戻らせる初期画面表示部６３が設けられていたが、本発明において初期画面表示部は必ずしも必要な構成ではない。例えば図９に示すように、本発明の表示装置は、初期画面表示部６３が設けられていない構成とすることも可能である。
【００８４】
また、本実施形態のサービスシステムは、電気機器２としてアルカリイオン整水器が用いられていたが、本発明は様々な電気機器に対して適用することができる。このため本発明は、アルカリイオン整水器に限定されない。
【００８５】
また本実施形態のサービスシステムは、携帯端末７として携帯電話が用いられていたが、本発明の携帯端末７は、情報コード１を読み取ることができればよく、携帯電話に限定されるものではない。
【００８６】
また本実施形態の情報コードはＱＲコードにより構成されていたが、本発明の情報コードは、ＱＲコードに限定されない。
【符号の説明】
【００８７】
１      情報コード
２      電気機器
５      表示装置
５１    表示手段
５１１  コード表示部
５１２  説明表示部
５２    コード選択部
５２０  選択ボタン
５３    機能設定手段
６      制御部
６１    メモリ
６２    タイマー
６３    初期画面表示部
６４    カウンタ
６５    コード順列手段
６６    エラー検出手段
６６０  メンテナンス時期検出部
６６１  消耗品交換時期検出部
６６２  使用期間タイマー
６６３  異常検知手段
６７    エラーコード表示手段
７      携帯端末
７２    サイト表示部
８      携帯制御部
８１    読取手段
８２    変換手段
８３    接続手段
【図１】
2012230447.tif 000003
【図２】
2012230447.tif 000004
【図３】
2012230447.tif 000005
【図４】
2012230447.tif 000006
【図５】
2012230447.tif 000007
【図６】
2012230447.tif 000008
【図７】
2012230447.tif 000009
【図８】
2012230447.tif 000010
【図９】
2012230447.tif 000011